(57)【特許請求の範囲】
【請求項１】
会議サーバと、シンクライアント端末にサービスを提供するシンクライアントサーバとを備え、会議の出席者に会議資料を提示する会議システムであり、
前記会議サーバは、
会議資料を記憶した会議資料記憶部と、
閲覧者のユーザＩＤ（ＩＤｅｎｔｉｆｉｅｒ）毎に、表示に関する設定を示す表示設定情報を記憶した閲覧者設定記憶部と、
作成者のユーザＩＤ毎に、表示設定情報を記憶した作成者設定記憶部と
を備え、
前記シンクライアントサーバは、
前記会議資料を前記会議資料記憶部から取得する会議資料取得部と、
シンクライアント端末から閲覧者のユーザＩＤを取得する閲覧者ＩＤ取得部と、
前記会議資料取得部が取得した会議資料の作成者のユーザＩＤを取得する作成者ＩＤ取得部と、
前記会議資料取得部が取得した会議資料に応じて、前記閲覧者設定記憶部が記憶した表示設定情報に従うか、前記作成者設定記憶部が記憶した表示設定情報に従うかを決定する設定情報決定部と、
前記閲覧者設定記憶部が記憶した表示設定情報に従うと前記設定情報決定部が決定した場合、前記閲覧者ＩＤ取得部が取得した閲覧者のユーザＩＤに対応する表示設定情報を前記閲覧者設定記憶部から取得し、前記作成者設定記憶部が記憶した表示設定情報に従うと前記設定情報決定部が決定した場合、前記作成者ＩＤ取得部が取得した作成者のユーザＩＤに対応する表示設定情報を前記作成者設定記憶部から取得する設定情報取得部と、
前記閲覧者設定記憶部が記憶した表示設定情報に従うと前記設定情報決定部が決定した場合、前記閲覧者設定記憶部から取得した表示設定情報が示す設定に従い、前記会議資料取得部が取得した会議資料を示した表示画面を前記シンクライアント端末に表示させ、前記作成者設定記憶部が記憶した表示設定情報に従うと前記設定情報決定部が決定した場合、前記作成者設定記憶部から取得した表示設定情報が示す設定に従い前記表示画面を表示させる表示部と
を備える会議システム。
【請求項２】
前記シンクライアントサーバは、さらに、
前記シンクライアント端末から、前記表示設定情報に対する変更情報の入力を受け付ける変更情報受付部と、
前記変更情報受付部が受け付けた変更情報により変更した表示設定情報で、前記閲覧者設定記憶部が記憶した、前記閲覧者のユーザＩＤに対応する前記表示設定情報を更新する設定情報更新部と
を備える請求項１に記載の会議システム。
【請求項３】
前記会議システムは、さらに、
閲覧者のユーザＩＤ及び作成者のユーザＩＤ毎に、前記表示設定情報に対する変更情報を記憶した変更情報記憶部
を備え、
前記設定情報取得部は、前記作成者設定記憶部が記憶した表示設定情報に従うと前記設定情報決定部が決定した場合、前記閲覧者ＩＤ取得部が取得した閲覧者のユーザＩＤと、前記作成者ＩＤ取得部が取得した作成者のユーザＩＤとに対応する変更情報を前記変更情報記憶部から取得し、
前記表示部は、前記作成者設定記憶部から取得した表示設定情報が示す設定に従い前記表示画面を表示させる場合には、前記設定情報取得部が取得した変更情報で前記表示設定情報を変更した設定に従い、前記会議資料を示した表示画面を前記シンクライアント端末に表示させる
請求項１又は２に記載の会議システム。
【請求項４】
前記表示設定情報は、前記会議資料の文字のサイズの設定を示す
請求項１から３までのいずれか１項に記載の会議システム。
【請求項５】
シンクライアント端末にサービスを提供するシンクライアントサーバであって、会議の出席者に会議資料を提示するシンクライアントサーバであり、
前記会議資料を会議資料記憶部から取得する会議資料取得部と、
シンクライアント端末から閲覧者のユーザＩＤ（ＩＤｅｎｔｉｆｉｅｒ）を取得する閲覧者ＩＤ取得部と、
前記会議資料取得部が取得した会議資料の作成者のユーザＩＤを取得する作成者ＩＤ取得部と、
前記会議資料取得部が取得した会議資料に応じて、閲覧者の表示設定情報に従うか、作成者の表示設定情報に従うかを決定する設定情報決定部と、
閲覧者の表示設定情報に従うと前記設定情報決定部が決定した場合、閲覧者のユーザＩＤ毎に表示に関する設定を示す表示設定情報を記憶した閲覧者設定記憶部から、前記閲覧者ＩＤ取得部が取得した閲覧者のユーザＩＤに対応する表示設定情報を取得し、作成者の表示設定情報に従うと前記設定情報決定部が決定した場合、作成者のユーザＩＤ毎に表示に関する設定を示す表示設定情報を記憶した作成者設定記憶部から、前記作成者ＩＤ取得部が取得した作成者のユーザＩＤに対応する表示設定情報を取得する設定情報取得部と、
閲覧者の表示設定情報に従うと前記設定情報決定部が決定した場合、前記閲覧者設定記憶部から取得した表示設定情報が示す設定に従い、前記会議資料取得部が取得した会議資料を示した表示画面を前記シンクライアント端末に表示させ、作成者の表示設定情報に従うと前記設定情報決定部が決定した場合、前記作成者設定記憶部から取得した表示設定情報が示す設定に従い前記表示画面を表示させる表示部と
を備えるシンクライアントサーバ。
【請求項６】
シンクライアント端末にサービスを提供する資料提示プログラムであって、会議の出席者に会議資料を提示する資料提示プログラムであり、
前記会議資料を会議資料記憶部から取得する会議資料取得処理と、
シンクライアント端末から閲覧者のユーザＩＤ（ＩＤｅｎｔｉｆｉｅｒ）を取得する閲覧者ＩＤ取得処理と、
前記会議資料取得処理で取得した会議資料の作成者のユーザＩＤを取得する作成者ＩＤ取得処理と、
前記会議資料取得処理で取得した会議資料に応じて、閲覧者の表示設定情報に従うか、作成者の表示設定情報に従うかを決定する設定情報決定処理と、
閲覧者の表示設定情報に従うと前記設定情報決定処理で決定した場合、閲覧者のユーザＩＤ毎に表示に関する設定を示す表示設定情報を記憶した閲覧者設定記憶部から、前記閲覧者ＩＤ取得処理で取得した閲覧者のユーザＩＤに対応する表示設定情報を取得し、作成者の表示設定情報に従うと前記設定情報決定処理で決定した場合、作成者のユーザＩＤ毎に表示に関する設定を示す表示設定情報を記憶した作成者設定記憶部から、前記作成者ＩＤ取得処理で取得した作成者のユーザＩＤに対応する表示設定情報を取得する設定情報取得処理と、
閲覧者の表示設定情報に従うと前記設定情報決定処理で決定した場合、前記閲覧者設定記憶部から取得した表示設定情報が示す設定に従い、前記会議資料取得処理で取得した会議資料を示した表示画面を前記シンクライアント端末に表示させ、作成者の表示設定情報に従うと前記設定情報決定処理で決定した場合、前記作成者設定記憶部から取得した表示設定情報が示す設定に従い前記表示画面を表示させる表示処理と
をコンピュータに実行させる資料提示プログラム。
【発明の詳細な説明】
【技術分野】
【０００１】
この発明は、会議の出席者に会議資料を提示する技術に関する。
【背景技術】
【０００２】
ペーパレス化を進めるため、会議室で行われる会議では紙に印刷された資料を配布することに代えて、端末に資料を表示させるようになってきている。
会議の参加者が会議室に参加者の端末を持ち込み、持ち込んだ参加者の端末に資料を表示させる場合と、会議室の各席に端末を設置しておき、設置された端末に資料を表示させる場合とがある。
【０００３】
特許文献１，２には、シンクライアントシステムについて記載されている。特許文献１，２には、シンクライアント端末に応じた表示画面をシンクライアントサーバが生成して、シンクライアント端末に表示させることが記載されている。
【先行技術文献】
【特許文献】
【０００４】
【特許文献１】特開２００９−１６３１４２号公報
【特許文献２】特開２００９−２４５０９５号公報
【発明の概要】
【発明が解決しようとする課題】
【０００５】
参加者の端末に資料を表示させる場合、端末には参加者の設定がされているため、表示された資料は、最初から見やすい文字サイズ等で表示される。しかし、会議のために端末を移動させる必要がある。
一方、設置された端末に資料を表示させる場合、会議のために端末を移動させる必要がない。しかし、端末には参加者の設定がされていないため、参加者によっては文字サイズが小さく見づらい場合がある。
この発明は、設置された端末に資料を表示させる場合において、閲覧者に見やすい状態で資料を表示することを目的とする。
【課題を解決するための手段】
【０００６】
この発明に係る会議システムは、
会議サーバと、シンクライアント端末にサービスを提供するシンクライアントサーバとを備え、会議の出席者に会議資料を提示する会議システムであり、
前記会議サーバは、
会議資料を記憶した会議資料記憶部と、
閲覧者のユーザＩＤ（ＩＤｅｎｔｉｆｉｅｒ）毎に、表示に関する設定を示す表示設定情報を記憶した閲覧者設定記憶部と
を備え、
前記シンクライアントサーバは、
前記会議資料を前記会議資料記憶部から取得する会議資料取得部と、
シンクライアント端末から閲覧者のユーザＩＤを取得する閲覧者ＩＤ取得部と、
前記閲覧者ＩＤ取得部が取得した閲覧者のユーザＩＤに対応する表示設定情報を前記閲覧者設定記憶部から取得する設定情報取得部と、
前記設定情報取得部が取得した表示設定情報が示す設定に従い、前記会議資料取得部が取得した会議資料を示した表示画面を前記シンクライアント端末に表示させる表示部と
を備える。
【０００７】
前記シンクライアントサーバは、さらに、
前記シンクライアント端末から、前記表示設定情報に対する変更情報の入力を受け付ける変更情報受付部と、
前記変更情報受付部が受け付けた変更情報により変更した表示設定情報で、前記閲覧者設定記憶部が記憶した、前記閲覧者のユーザＩＤに対応する前記表示設定情報を更新する設定情報更新部と
を備える。
【０００８】
前記会議サーバは、さらに、
作成者のユーザＩＤ毎に、表示設定情報を記憶した作成者設定記憶部
を備え、
前記シンクライアントサーバは、さらに、
前記会議資料取得部が取得した会議資料の作成者のユーザＩＤを取得する作成者ＩＤ取得部と、
前記会議資料取得部が取得した会議資料に応じて、前記閲覧者設定記憶部が記憶した表示設定情報に従うか、前記作成者設定記憶部が記憶した表示設定情報に従うかを決定する設定情報決定部と
を備え、
前記設定情報取得部は、前記作成者設定記憶部が記憶した表示設定情報に従うと前記設定情報決定部が決定した場合、前記作成者ＩＤ取得部が取得した作成者のユーザＩＤに対応する表示設定情報を前記作成者設定記憶部から取得し、
前記表示部は、前記閲覧者設定記憶部が記憶した表示設定情報に従うと前記設定情報決定部が決定した場合、前記閲覧者設定記憶部から取得した表示設定情報が示す設定に従い前記表示画面を表示させ、前記作成者設定記憶部が記憶した表示設定情報に従うと前記設定情報決定部が決定した場合、前記作成者設定記憶部から取得した表示設定情報が示す設定に従い前記表示画面を表示させる。
【０００９】
前記会議システムは、さらに、
閲覧者のユーザＩＤ及び作成者のユーザＩＤ毎に、前記表示設定情報に対する変更情報を記憶した変更情報記憶部
を備え、
前記設定情報取得部は、前記作成者設定記憶部が記憶した表示設定情報に従うと前記設定情報決定部が決定した場合、前記閲覧者ＩＤ取得部が取得した閲覧者のユーザＩＤと、前記作成者ＩＤ取得部が取得した作成者のユーザＩＤとに対応する変更情報を前記変更情報記憶部から取得し、
前記表示部は、前記作成者設定記憶部から取得した表示設定情報が示す設定に従い前記表示画面を表示させる場合には、前記設定情報取得部が取得した変更情報で前記表示設定情報を変更した設定に従い、前記会議資料を示した表示画面を前記シンクライアント端末に表示させる。
【００１０】
前記表示設定情報は、前記会議資料の文字のサイズの設定を示す。
【００１１】
シンクライアント端末にサービスを提供するシンクライアントサーバであって、会議の出席者に会議資料を提示するシンクライアントサーバであり、
前記会議資料を会議資料記憶部から取得する会議資料取得部と、
シンクライアント端末から閲覧者のユーザＩＤ（ＩＤｅｎｔｉｆｉｅｒ）を取得する閲覧者ＩＤ取得部と、
閲覧者のユーザＩＤ毎に表示に関する設定を示す表示設定情報を記憶した閲覧者設定記憶部から、前記閲覧者ＩＤ取得部が取得した閲覧者のユーザＩＤに対応する表示設定情報を取得する設定情報取得部と、
前記設定情報取得部が取得した表示設定情報が示す設定に従い、前記会議資料取得部が取得した会議資料を示した表示画面を前記シンクライアント端末に表示させる表示部と
を備える。
【００１２】
この発明に係る資料提示プログラムは、
シンクライアント端末にサービスを提供する資料提示プログラムであって、会議の出席者に会議資料を提示する資料提示プログラムであり、
前記会議資料を会議資料記憶部から取得する会議資料取得処理と、
シンクライアント端末から閲覧者のユーザＩＤ（ＩＤｅｎｔｉｆｉｅｒ）を取得する閲覧者ＩＤ取得処理と、
閲覧者のユーザＩＤ毎に表示に関する設定を示す表示設定情報を記憶した閲覧者設定記憶部から、前記閲覧者ＩＤ取得処理が取得した閲覧者のユーザＩＤに対応する表示設定情報を取得する設定情報取得処理と、
前記設定情報取得処理が取得した表示設定情報が示す設定に従い、前記会議資料取得処理が取得した会議資料を示した表示画面を前記シンクライアント端末に表示させる表示処理と
をコンピュータに実行させる。
【発明の効果】
【００１３】
この発明では、会議システムにシンクライアントシステムを導入し、シンクライアント端末を使用するユーザである閲覧者毎の表示設定情報が示す設定に従い、会議資料を表示させる。これにより、閲覧者に見やすい状態で、シンクライアント端末に会議資料を表示させることができる。
【図面の簡単な説明】
【００１４】
【図１】実施の形態１に係る会議システム１００の構成図。
【図２】実施の形態１に係る会議サーバ１０及びシンクライアントサーバ２０の構成図。
【図３】実施の形態１に係る会議システム１００の動作を示すフローチャート。
【図４】表示画面４４の初期画面を示す図。
【図５】表示画面４４の例を示す図。
【図６】実施の形態２に係る会議サーバ１０及びシンクライアントサーバ２０の構成図。
【図７】実施の形態２に係る会議システム１００の動作を示すフローチャート。
【図８】表示画面４４の例を示す図。
【図９】実施の形態３に係る会議サーバ１０及びシンクライアントサーバ２０の構成図。
【図１０】実施の形態３に係る会議システム１００の動作を示すフローチャート。
【図１１】実施の形態１〜３に係るシンクライアントサーバ２０のハードウェア構成例を示す図。
【発明を実施するための形態】
【００１５】
実施の形態１．
＊＊＊構成の説明＊＊＊
図１に基づき、実施の形態１に係る会議システム１００の構成を説明する。
会議システム１００は、会議サーバ１０と、シンクライアントサーバ２０と、複数のシンクライアント端末３０とを備える。
会議サーバ１０とシンクライアントサーバ２０とはネットワークを介して接続されている。また、シンクライアントサーバ２０と各シンクライアント端末３０とはネットワークを介して接続されている。
【００１６】
会議サーバ１０は、会議資料４１と閲覧者毎の表示設定情報４２とを記憶するサーバである。
【００１７】
シンクライアントサーバ２０は、いわゆるシンクライアントシステムにおけるサーバであり、シンクライアント端末３０にサービスを提供する。ここでは、シンクライアントサーバ２０は、会議サーバ１０が記憶した表示設定情報４２が示す設定に従い、会議資料４１を示す表示画面を生成して各シンクライアント端末３０に送信して表示させる。
【００１８】
各シンクライアント端末３０は、いわゆるシンクライアントシステムにおける端末であり、ここでは会議に参加する参加者であるユーザが使用する端末である。各シンクライアント端末３０を使用するユーザを閲覧者と呼ぶ。
【００１９】
図２に基づき、実施の形態１に係る会議サーバ１０及びシンクライアントサーバ２０の構成を説明する。
会議サーバ１０は、会議資料記憶部１１と、閲覧者設定記憶部１２とを備える。シンクライアントサーバ２０は、会議資料取得部２１と、閲覧者ＩＤ取得部２２と、設定情報取得部２３と、表示部２４と、変更情報受付部２５と、設定情報更新部２６とを備える。
【００２０】
会議資料記憶部１１は、複数の会議資料４１を記憶する。会議資料４１は、作成者であるユーザによって会議前に作成され、会議資料記憶部１１に格納される。
【００２１】
閲覧者設定記憶部１２は、閲覧者のユーザＩＤ毎に、表示に関する設定を示す表示設定情報４２を記憶する。表示設定情報４２は、文字サイズと、資料を表示するウインドウのサイズ等の設定を示す。
なお、初めは、表示設定情報４２は初期値が設定されている。後述する変更情報受付部２５が変更情報４５の入力を受け付けた場合に、表示設定情報４２は、変更情報４５により変更された内容に更新される。
【００２２】
会議資料取得部２１は、シンクライアント端末３０から指定された会議資料４１を、会議資料記憶部１１から取得する。
【００２３】
閲覧者ＩＤ取得部２２は、シンクライアント端末３０から閲覧者のユーザＩＤ４３を取得する。ここでは、閲覧者ＩＤ取得部２２は、シンクライアントシステムへのログイン時に、閲覧者が入力したユーザＩＤ４３を取得する。
【００２４】
設定情報取得部２３は、閲覧者ＩＤ取得部２２が取得した閲覧者のユーザＩＤ４３に対応する表示設定情報４２を閲覧者設定記憶部１２から取得する。
【００２５】
表示部２４は、設定情報取得部２３が取得した表示設定情報４２が示す設定に従い、会議資料取得部２１が取得した会議資料４１を示した表示画面４４を、閲覧者が使用するシンクライアント端末３０に表示させる。
【００２６】
変更情報受付部２５は、シンクライアント端末３０から、表示設定情報４２に対する変更情報４５の入力を受け付ける。閲覧者が表示画面４４を見づらいと感じた場合等に、文字サイズやウインドウのサイズを変更する変更情報４５が入力される。
【００２７】
設定情報更新部２６は、変更情報受付部２５が受け付けた変更情報４５により変更した表示設定情報４２で、閲覧者設定記憶部１２が記憶した、閲覧者のユーザＩＤ４３に対応する表示設定情報４２を更新する。
【００２８】
＊＊＊動作の説明＊＊＊
図３に基づき、実施の形態１に係る会議システム１００の動作を説明する。
実施の形態１に係る会議システム１００の動作は、実施の形態１に係る資料提示方法に相当する。また、実施の形態１に係る会議システム１００の動作は、実施の形態１に係る資料提示プログラムの処理に相当する。
なお、図３に示す処理の開始前に、会議資料記憶部１１には会議資料４１が記憶されており、閲覧者設定記憶部１２には閲覧者毎の表示設定情報４２が記憶されているものとする。
【００２９】
Ｓ１０１の閲覧者ＩＤ取得処理では、閲覧者がいずれかのシンクライアント端末３０を操作してユーザＩＤ及びパスワードを入力し、シンクライアントシステムにログインする。すると、閲覧者ＩＤ取得部２２は、入力された閲覧者のユーザＩＤ４３を取得する。
【００３０】
Ｓ１０２の設定情報取得処理では、設定情報取得部２３は、Ｓ１０１で取得された閲覧者のユーザＩＤ４３に対応する表示設定情報４２を閲覧者設定記憶部１２から取得する。
【００３１】
Ｓ１０３の初期画面表示処理では、表示部２４は、Ｓ１０２で取得された表示設定情報４２が示す設定に従い、図４に示すように、会議資料４１を表示するための表示画面４４の初期画面を表示する。
図４に示すように、表示画面４４には、会議資料選択欄５１と、会議資料表示欄５２とがある。会議資料選択欄５１には、閲覧者が閲覧を許可されている会議資料４１についてのタイトル等の情報が表示される。会議資料表示欄５２には、指定された会議資料４１が表示される。Ｓ１０３では、会議資料表示欄５２に会議資料４１は表示されていない。
【００３２】
Ｓ１０４の会議資料取得処理では、会議資料取得部２１は、シンクライアント端末３０から会議資料４１の指定を受け付けると、指定された会議資料４１を会議資料記憶部１１から取得する。
閲覧者は、シンクライアント端末３０を操作して、表示画面４４の会議資料選択欄５１に表示された会議資料４１を選択することにより、閲覧する会議資料４１を指定できる。
【００３３】
Ｓ１０５の表示処理では、表示部２４は、図５に示すように、Ｓ１０２で取得された表示設定情報４２が示す設定に従い、Ｓ１０４で取得された会議資料４１を示した表示画面４４を、Ｓ１０１で操作されたシンクライアント端末３０に送信して表示させる。
【００３４】
表示設定情報４２に対して変更がされない場合には、処理が終了する。一方、表示設定情報４２に対して変更がされる場合には、処理がＳ１０６に進む。
【００３５】
Ｓ１０６の変更情報受付処理では、変更情報受付部２５は、シンクライアント端末３０から、表示設定情報４２に対する変更情報４５の入力を受け付ける。
閲覧者は、シンクライアント端末３０を操作して、文字サイズを変更したり、ウインドウのサイズを変更したりすることにより、変更情報４５を入力することができる。
【００３６】
Ｓ１０７の設定情報更新処理では、設定情報更新部２６は、Ｓ１０６で受け付けた変更情報４５により表示設定情報４２を変更して、変更した表示設定情報４２で、閲覧者設定記憶部１２が記憶した、閲覧者のユーザＩＤ４３に対応する表示設定情報４２を更新する。
【００３７】
なお、Ｓ１０６で変更情報４５の入力を受け付けた場合、処理がＳ１０５に戻る。そして、表示部２４は、Ｓ１０６で受け付けた変更情報４５により変更した表示設定情報４２が示す設定に従い、Ｓ１０４で取得された会議資料４１を示した表示画面４４をシンクライアント端末３０に表示させる。
【００３８】
＊＊＊効果の説明＊＊＊
以上のように、実施の形態１に係る会議システム１００は、シンクライアントシステムを用いて構成され、シンクライアントシステムにログインした閲覧者に応じた設定に従い会議資料４１を表示する。
そのため、会議室の各席にシンクライアント端末３０を設置しておき、設置されたシンクライアント端末３０に会議資料４１を表示させることにより、閲覧者に見やすい状態で会議資料４１を表示することが可能である。
【００３９】
なお、上記説明では、表示設定情報４２は、文字サイズと、資料を表示するウインドウのサイズとであるとした。しかし、表示設定情報４２は、他にも、マウスのカーソルをポインタとするかペンとするかや、画面の明るさ等の他の設定を含んでいてもよい。
【００４０】
また、上記説明では、表示設定情報４２について説明した。しかし、表示以外にも、例えば、音を出力する会議資料４１がある場合に、音の大きさを設定した設定情報を表示設定情報４２と同様に用いることもできる。
【００４１】
実施の形態２．
会議資料４１に何らかのデザインが施されている場合等には、文字サイズやウインドウのサイズによってはデザインが崩れてしまい、会議資料４１の作成者の意図した通りに会議資料４１を表示させることができない場合がある。
実施の形態２は、会議資料４１に応じて、閲覧者の表示設定情報４２で会議資料４１を表示させる場合と、作成者の表示設定情報４２で会議資料４１を表示させる場合とを切り替える点が実施の形態１と異なる。実施の形態２では、この異なる点について説明する。
【００４２】
＊＊＊構成の説明＊＊＊
図６に基づき、実施の形態２に係る会議サーバ１０及びシンクライアントサーバ２０の構成を説明する。
会議サーバ１０は、図２に示す構成に加え、作成者設定記憶部１３を備える。シンクライアントサーバ２０は、図２に示す構成に加え、作成者ＩＤ取得部２７と、設定情報決定部２８とを備える。
【００４３】
会議資料記憶部１１は、会議資料４１とともに、その会議資料４１の作成者のユーザＩＤ４６と、閲覧者の表示設定情報４２と作成者の表示設定情報４２とのどちらに従い会議資料４１を表示させるかを示す判定情報４７とを記憶している。判定情報４７は、会議資料４１の作成者によって、設定される。
【００４４】
作成者設定記憶部１３は、作成者のユーザＩＤ４６毎に、表示設定情報４２を記憶する。
【００４５】
作成者ＩＤ取得部２７は、会議資料取得部２１が取得した会議資料４１の作成者のユーザＩＤ４６を会議資料記憶部１１から取得する。
【００４６】
設定情報決定部２８は、会議資料取得部２１が取得した会議資料４１に応じて、閲覧者設定記憶部１２が記憶した表示設定情報４２に従うか、作成者設定記憶部１３が記憶した表示設定情報４２に従うかを決定する。
ここでは、設定情報決定部２８は、会議資料取得部２１が取得した会議資料４１についての判定情報４７に従い、閲覧者設定記憶部１２が記憶した表示設定情報４２と作成者設定記憶部１３が記憶した表示設定情報４２とのどちらに従うかを決定する。
【００４７】
設定情報取得部２３は、作成者設定記憶部１３が記憶した表示設定情報４２に従うと設定情報決定部２８が決定した場合、作成者ＩＤ取得部２７が取得した作成者のユーザＩＤ２６に対応する表示設定情報４２を作成者設定記憶部１３から取得する。
【００４８】
表示部２４は、閲覧者設定記憶部１２が記憶した表示設定情報４２に従うと設定情報決定部２８が決定した場合、閲覧者設定記憶部１２から取得した表示設定情報４２が示す設定に従い表示画面４４をシンクライアント端末３０に表示させる。一方、作成者設定記憶部１３が記憶した表示設定情報４２に従うと設定情報決定部２８が決定した場合、作成者設定記憶部１３から取得した表示設定情報４２が示す設定に従い表示画面４４をシンクライアント端末３０に表示させる。
【００４９】
＊＊＊動作の説明＊＊＊
図７に基づき、実施の形態２に係る会議システム１００の動作を説明する。
実施の形態２に係る会議システム１００の動作は、実施の形態２に係る資料提示方法に相当する。また、実施の形態２に係る会議システム１００の動作は、実施の形態２に係る資料提示プログラムの処理に相当する。
【００５０】
Ｓ２０１からＳ２０４の処理は、図３のＳ１０１からＳ１０４の処理と同じである。
【００５１】
Ｓ２０５の取得先決定処理では、設定情報決定部２８は、Ｓ２０４で取得された会議資料４１についての判定情報４７に従い、閲覧者設定記憶部１２と作成者設定記憶部１３とのどちらが記憶した表示設定情報４２に従うかを決定する。
設定情報決定部２８は、閲覧者設定記憶部１２が記憶した表示設定情報４２に従うと決定した場合には、処理をＳ２０６に進め、作成者設定記憶部１３が記憶した表示設定情報４２に従うと決定した場合には、処理をＳ２０９に進める。
【００５２】
Ｓ２０６からＳ２０８の処理は、図３のＳ１０５からＳ１０７の処理と同じである。
【００５３】
Ｓ２０９の作成者ＩＤ取得処理では、作成者ＩＤ取得部２７は、Ｓ２０４で取得された会議資料４１の作成者のユーザＩＤ４６を取得する。
【００５４】
Ｓ２１０の第２設定情報取得処理では、設定情報取得部２３は、Ｓ２０９で取得された作成者のユーザＩＤ４６に対応する表示設定情報４２を作成者設定記憶部１３から取得する。
【００５５】
Ｓ２１１の第２表示処理では、表示部２４は、Ｓ２１０で取得された表示設定情報４２が示す設定に従い、Ｓ２０４で取得された会議資料４１を示した表示画面４４を、Ｓ２０１で操作されたシンクライアント端末３０に送信して表示させる。
【００５６】
＊＊＊効果の説明＊＊＊
以上のように、実施の形態２に係る会議システム１００は、会議資料４１に応じて、閲覧者の表示設定情報４２で会議資料４１を表示させる場合と、作成者の表示設定情報４２で会議資料４１を表示させる場合とを切り替える。これにより、必要に応じて作成者が見せたい状態で表示させることができる。
【００５７】
図８に示すように、閲覧者の操作に従い、会議資料表示欄５２に、作成者の表示設定情報４２が示す設定に従い会議資料４１を表示するとともに、会議資料４１の少なくとも一部を閲覧者の表示設定情報４２が示す設定に従い会議資料４１を表示してもよい。図８では、破線で囲んだ部分を、閲覧者の表示設定情報４２が示す設定に従い別途拡大表示している。
例えば、作成者の表示設定情報４２が示す設定に従い会議資料４１を表示すると、デザインは崩れないものの文字が読みづらい場合等には、読みたい部分だけを閲覧者の表示設定情報４２が示す設定に従い表示させ、読みやすくすることができる。
【００５８】
実施の形態３．
実施の形態２で説明したように、作成者の表示設定情報４２で会議資料４１を表示させた場合、閲覧者には見づらいことがある。例えば、作成者は視力がよく、細かい文字でも見やすいが、閲覧者は視力が悪く、細かい文字が見づらい場合がある。この場合、作成者は細かい文字を使用して会議資料４１を作成してしまい、閲覧者は会議資料４１が見づらくなってしまうことが考えられる。
実施の形態３は、各閲覧者が作成者毎に、作成者の表示設定情報４２に対する変更情報４８を設定する点が実施の形態２と異なる。実施の形態３では、この異なる点について説明する。
【００５９】
＊＊＊構成の説明＊＊＊
図９に基づき、実施の形態３に係る会議サーバ１０及びシンクライアントサーバ２０の構成を説明する。
会議サーバ１０は、図６に示す構成に加え、変更情報記憶部１４を備える。
【００６０】
変更情報記憶部１４は、閲覧者のユーザＩＤ４３及び作成者のユーザＩＤ４６毎に、表示設定情報４２に対する変更情報４８を記憶する。
変更情報４８は、表示設定情報４２の各設定項目をどの程度変更するかを示す。ここでは、変更情報４８は、文字のサイズを何ポイント大きくする、あるいは、小さくすることと、ウインドウのサイズを何ポイント大きくする、あるいは、小さくすることとを示す。
【００６１】
変更情報受付部２５は、閲覧者ＩＤ取得部２２が取得した閲覧者のユーザＩＤ４３と、作成者ＩＤ取得部２７が取得した作成者のユーザＩＤ４６とに対応する変更情報４８の入力を受け付ける。
【００６２】
設定情報取得部２３は、作成者設定記憶部１３が記憶した表示設定情報４２に従うと設定情報決定部２８が決定した場合、作成者設定記憶部１３から表示設定情報４２を取得するとともに、閲覧者ＩＤ取得部２２が取得した閲覧者のユーザＩＤと、作成者ＩＤ取得部２７が取得した作成者のユーザＩＤとに対応する変更情報４８を変更情報記憶部１４から取得する。
【００６３】
表示部２４は、作成者設定記憶部１３から取得した表示設定情報４２が示す設定に従い表示画面４４を表示させる場合には、設定情報取得部２３が取得した変更情報４８で表示設定情報４２を変更した設定に従い、会議資料４１を示した表示画面４４をシンクライアント端末３０に表示させる。
【００６４】
＊＊＊動作の説明＊＊＊
図１０に基づき、実施の形態３に係る会議システム１００の動作を説明する。
実施の形態３に係る会議システム１００の動作は、実施の形態３に係る資料提示方法に相当する。また、実施の形態３に係る会議システム１００の動作は、実施の形態３に係る資料提示プログラムの処理に相当する。
【００６５】
Ｓ３０１からＳ３１０との処理は、図７のＳ２０１からＳ２１０との処理と同じである。
【００６６】
Ｓ３１１の変更情報取得処理では、Ｓ３０１で取得された閲覧者のユーザＩＤ４３と、Ｓ３０９で取得された作成者のユーザＩＤ４６とに対応する変更情報４８がある場合には、その変更情報４８を取得する。
【００６７】
Ｓ３１２の第２表示処理では、表示部２４は、Ｓ３１１で変更情報４８が取得された場合には、Ｓ３１０で取得された表示設定情報４２を変更情報４８で変更する。そして、表示部２４は、変更した表示設定情報４２が示す設定に従い、Ｓ３０４で取得された会議資料４１を示した表示画面４４を、Ｓ３０１で操作されたシンクライアント端末３０に送信して表示させる。
【００６８】
なお、Ｓ３１２で表示された表示画面４４が見づらい場合等には、変更情報受付部２５は、シンクライアント端末３０から、表示設定情報４２に対する変更情報４８の入力を受け付ける。そして、変更情報受付部２５は、受け付けた変更情報４８を変更情報記憶部１４に格納する。その上で、処理をＳ３１１に戻す。
【００６９】
＊＊＊効果の説明＊＊＊
以上のように、実施の形態３に係る会議システム１００は、各閲覧者が作成者毎に、作成者の表示設定情報４２に対する変更情報４８を設定する。これにより、ある作成者の表示設定情報４２で会議資料４１が表示された場合に、毎回同様の設定変更をする必要がなくなる。
【００７０】
図１１は、実施の形態１〜３に係るシンクライアントサーバ２０のハードウェア構成例を示す図である。
シンクライアントサーバ２０はコンピュータである。
シンクライアントサーバ２０は、プロセッサ９０１、補助記憶装置９０２、メモリ９０３、通信装置９０４、入力インタフェース９０５、ディスプレイインタフェース９０６といったハードウェアを備える。
プロセッサ９０１は、信号線９１０を介して他のハードウェアと接続され、これら他のハードウェアを制御する。
入力インタフェース９０５は、ケーブル９１１により入力装置９０７に接続されている。
ディスプレイインタフェース９０６は、ケーブル９１２によりディスプレイ９０８に接続されている。
【００７１】
プロセッサ９０１は、プロセッシングを行うＩＣ（Ｉｎｔｅｇｒａｔｅｄ  Ｃｉｒｃｕｉｔ）である。プロセッサ９０１は、例えば、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、ＧＰＵ（Ｇｒａｐｈｉｃｓ  Ｐｒｏｃｅｓｓｉｎｇ  Ｕｎｉｔ）である。
補助記憶装置９０２は、例えば、ＲＯＭ（Ｒｅａｄ  Ｏｎｌｙ  Ｍｅｍｏｒｙ）、フラッシュメモリ、ＨＤＤ（Ｈａｒｄ  Ｄｉｓｋ  Ｄｒｉｖｅ）である。
メモリ９０３は、例えば、ＲＡＭ（Ｒａｎｄｏｍ  Ａｃｃｅｓｓ  Ｍｅｍｏｒｙ）である。
通信装置９０４は、データを受信するレシーバー９０４１及びデータを送信するトランスミッター９０４２を含む。通信装置９０４は、例えば、通信チップ又はＮＩＣ（Ｎｅｔｗｏｒｋ  Ｉｎｔｅｒｆａｃｅ  Ｃａｒｄ）である。
入力インタフェース９０５は、入力装置９０７のケーブル９１１が接続されるポートである。入力インタフェース９０５は、例えば、ＵＳＢ（Ｕｎｉｖｅｒｓａｌ  Ｓｅｒｉａｌ  Ｂｕｓ）端子である。
ディスプレイインタフェース９０６は、ディスプレイ９０８のケーブル９１２が接続されるポートである。ディスプレイインタフェース９０６は、例えば、ＵＳＢ端子又はＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）端子である。
入力装置９０７は、例えば、マウス、キーボード又はタッチパネルである。
ディスプレイ９０８は、例えば、ＬＣＤ（Ｌｉｑｕｉｄ  Ｃｒｙｓｔａｌ  Ｄｉｓｐｌａｙ）である。
【００７２】
補助記憶装置９０２には、上述した会議資料取得部２１、閲覧者ＩＤ取得部２２、設定情報取得部２３、表示部２４、変更情報受付部２５、設定情報更新部２６、作成者ＩＤ取得部２７、設定情報決定部２８（以下、会議資料取得部２１、閲覧者ＩＤ取得部２２、設定情報取得部２３、表示部２４、変更情報受付部２５、設定情報更新部２６、作成者ＩＤ取得部２７、設定情報決定部２８をまとめて「部」と表記する）の機能を実現するプログラムが記憶されている。
このプログラムは、メモリ９０３にロードされ、プロセッサ９０１に読み込まれ、プロセッサ９０１によって実行される。
更に、補助記憶装置９０２には、ＯＳ（Ｏｐｅｒａｔｉｎｇ  Ｓｙｓｔｅｍ）も記憶されている。
そして、ＯＳの少なくとも一部がメモリ９０３にロードされ、プロセッサ９０１はＯＳを実行しながら、「部」の機能を実現するプログラムを実行する。
図１１では、１つのプロセッサ９０１が図示されているが、シンクライアントサーバ２０が複数のプロセッサ９０１を備えていてもよい。そして、複数のプロセッサ９０１が「部」の機能を実現するプログラムを連携して実行してもよい。
また、「部」の処理の結果を示す情報やデータや信号値や変数値が、メモリ９０３、補助記憶装置９０２、又は、プロセッサ９０１内のレジスタ又はキャッシュメモリにファイルとして記憶される。
【００７３】
「部」を「サーキットリー」で提供してもよい。また、「部」を「回路」又は「工程」又は「手順」又は「処理」に読み替えてもよい。「回路」及び「サーキットリー」は、プロセッサ９０１だけでなく、ロジックＩＣ又はＧＡ（Ｇａｔｅ  Ａｒｒａｙ）又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）又はＦＰＧＡ（Ｆｉｅｌｄ−Ｐｒｏｇｒａｍｍａｂｌｅ  Ｇａｔｅ  Ａｒｒａｙ）といった他の種類の処理回路をも包含する概念である。
【００７４】
なお、会議サーバ１０及び各シンクライアント端末３０も、シンクライアントサーバ２０と同様のハードウェア構成である。
【符号の説明】
【００７５】
１０  会議サーバ、１１  会議資料記憶部、１２  閲覧者設定記憶部、１３  作成者設定記憶部、１４  変更情報記憶部、２０  シンクライアントサーバ、２１  会議資料取得部、２２  閲覧者ＩＤ取得部、２３  設定情報取得部、２４  表示部、２５  変更情報受付部、２６  設定情報更新部、２７  作成者ＩＤ取得部、２８  設定情報決定部、２９  変更情報取得部、３０  シンクライアント端末、４１  会議資料、４２  表示設定情報、４３，４６  ユーザＩＤ、４４  表示画面、４５，４８  変更情報、４７  判定情報、１００  会議システム。
【要約】
【課題】会議室に設置された端末に会議資料を表示させるシステムにおいて、閲覧者に見やすい状態で資料を表示することを目的とする。
【解決手段】会議システム１００は、会議サーバ１０とシンクライアントサーバ２０とを備え、会議の出席者に会議資料４１をシンクライアント端末３０に表示する。シンクライアントサーバ２０は、会議資料４１と、シンクライアント端末３０を使用する閲覧者に対応する表示設定情報４２とを会議サーバ１０から取得し、取得した表示設定情報４２が示す設定に従い、会議資料４１を示した表示画面４４をシンクライアント端末３０に表示させる。
【選択図】図２【図１】
0005913666.tif 000002
【図２】
0005913666.tif 000003
【図３】
0005913666.tif 000004
【図４】
0005913666.tif 000005
【図５】
0005913666.tif 000006
【図６】
0005913666.tif 000007
【図７】
0005913666.tif 000008
【図８】
0005913666.tif 000009
【図９】
0005913666.tif 000010
【図１０】
0005913666.tif 000011
【図１１】
0005913666.tif 000012